(57)【要約】【課題】  壁パネルの枠材の側部に柱を接合した壁構造体において、柱と壁パネルの枠材がずれることを防止すること。【解決手段】  壁パネル２１、２２の枠材２１Ａ、２２Ａの側部に柱２３を接合してなる壁構造体２０において、枠材２１Ａ、２２Ａと柱２３の間に接着剤３１を塗布し、柱２３を接合金具（ボルト３２、釘３３）により枠材２１Ａ、２２Ａに締結するもの。【選択図】  図３
2005264521.tif 000002
【特許請求の範囲】
【請求項１】
壁パネルの枠材の側部に柱を接合してなる壁構造体において、
枠材と柱の間に接着剤を塗布し、柱を接合金具により枠材に締結することを特徴とする
壁構造体。
【請求項２】
前記接着剤が弾性接着剤である請求項１に記載の壁構造体。
【請求項３】
請求項１又は２に記載の壁構造体に床構造体を接合した建物ユニット。
【発明の詳細な説明】
【技術分野】
【０００１】
本発明は壁構造体及び建物ユニットに関する。
【背景技術】
【０００２】
軸組方式と耐力壁方式を混用した壁構造体として、特許文献１に記載の如く、壁パネル
の枠材の側部に柱を釘打ちして接合したものがある。
【特許文献１】特開平11-6205号公報
【発明の開示】
【発明が解決しようとする課題】
【０００３】
特許文献１の如くの壁パネルの枠材の側部に柱を釘打ちだけで接合した壁構造体では、
柱と壁パネルの枠材とが外力又は経時的に壁内に作用する力等によりそれらの接合面でず
れることがある。
【０００４】
このような場合には、柱の相交差する２面のそれぞれに接合した桁壁パネルと妻壁パネ
ルの壁面材にまたがるように貼った内装クロスが、それら両パネルの交差部で切れるおそ
れがある。
【０００５】
また、柱の一面に壁パネルを接合したとき、この壁パネルから柱の他の面にまたがるよ
うに貼った内装クロスも、それらの柱と壁パネルの境界部で切れるおそれがある。
【０００６】
本発明の課題は、壁パネルの枠材の側部に柱を接合した壁構造体において、柱と壁パネ
ルの枠材がずれることを防止することにある。
【課題を解決するための手段】
【０００７】
請求項１の発明は、壁パネルの枠材の側部に柱を接合してなる壁構造体において、枠材
と柱の間に接着剤を塗布し、柱を接合金具により枠材に締結するようにしたものである。
【０００８】
請求項２の発明は、請求項１の発明において更に、前記接着剤が弾性接着剤であるよう
にしたものである。
【０００９】
請求項３の発明は、請求項１又は２に記載の壁構造体に床構造体を接合した建物ユニッ
トである。
【発明の効果】
【００１０】
（請求項１）
(a)壁構造体において、柱と壁パネルの枠材がボルト、釘等の接合金具だけでなく、そ
れらの間に塗布される接着剤によっても接合される。従って、柱と壁パネルの枠材との接
合強度を強化し、柱と壁パネルの枠材とが外力又は経時的に壁内に作用する力等によりそ
れらの接合面でずれることを防止できる。
【００１１】
柱の相交差する２面のそれぞれに接合した桁壁パネルと妻壁パネルの壁面材にまたがる
ように貼った内装クロスが、それら両パネルの交差部で切れるおそれがない。
【００１２】
また、柱の一面に壁パネルを接合したとき、この壁パネルから柱の他の面にまたがるよ
うに貼った内装クロスも、それらの柱と壁パネルの境界部で切れるおそれがない。
【００１３】
（請求項２）
(b)接着剤として弾性接着剤を用いることにより、柱と壁パネルの枠材との接合強度を
より強化できる。
【００１４】
（請求項３）
(c)建物ユニットにおいて、上述(a)、(b)を実現し、ユニット建物の品質を向上できる
。
【発明を実施するための最良の形態】
【００１５】
図１は建物ユニットを示し、（Ａ）は平面図、（Ｂ）は（Ａ）の要部斜視図、図２は図
１（Ｂ）のII−II線に沿う断面図、図３は壁構造体の組立工程を示し、（Ａ）は接着剤塗
布工程を示す斜視図、（Ｂ）はボルト接合工程を示す斜視図、（Ｃ）は釘打ち工程を示す
斜視図である。
【実施例】
【００１６】
建物ユニット１０は、図１（Ａ）に示す如く、コの字状壁構造体２０に床構造体４０を
接合したものである。
【００１７】
本発明の建物ユニット１０は壁構造体２０の内面に床構造体４０を壁勝ちで突合せ接合
したものであるが、壁構造体２０を床構造体４０の上面に立設するものでも良い。
【００１８】
壁構造体２０は以下の如くに構築される。
(1)相対する妻壁パネル２１のそれぞれを組立てる。妻壁パネル２１は、図１（Ｂ）、
図２に示す如く、縦枠材２１Ａと上枠材２１Ｂと下枠材（不図示）を互いに接着剤及び釘
打ち等によって接合することにより壁枠組を形成し、その壁枠組の内部に断熱材２１Ｃを
充填するとともに、その壁枠組の両側に壁面材２１Ｄ、２１Ｅを貼り付け固定する。
【００１９】
桁壁パネル２２を組立てる。桁壁パネル２２は、図１（Ｂ）、図２に示す如く、縦枠材
２２Ａと上枠材２２Ｂと下枠材（不図示）を互いに接着剤及び釘打ち等によって接合する
ことにより壁枠組を形成し、その壁枠組の内部に断熱材２２Ｃを充填するとともに、その
壁枠組の両側に壁面材２２Ｄ、２２Ｅを貼り付け固定する。
【００２０】
(2)妻壁パネル２１の両端の縦枠材２１Ａの側部に柱２３を接合し、柱付き妻壁パネル
２１を形成する（図３（Ａ））。このとき、縦枠材２１Ａと柱２３の間（縦枠材２１Ａの
側面）に弾性接着剤３１を塗布し、柱２３を縦枠材２１Ａの側面に接着し、その後、ボル
ト３２及び爪付平ワッシャ３２Ａを用いて柱２３を縦枠材２１Ａに締結し、更に釘３３を
用いて柱２３を縦枠材２１Ａに釘打ちする（図３参考）。
【００２１】
(3)相対する柱付妻壁パネル２１の各一端の間に桁壁パネル２２を接合する（図３）。
このとき、桁壁パネル２２の縦枠材２２Ａと妻壁パネル２１に接合済の柱２３の間（縦枠
材２２Ａの側面）に弾性接着剤３１を塗布し、柱２３を縦枠材２２Ａの側面に接着し（図
３（Ａ））、その後、ボルト３２及び爪付平ワッシャ３２Ａを用いて柱２３を縦枠材２２
Ａに締結し（図３（Ｂ））、更に釘３３を用いて柱２３を縦枠材２２Ａに釘打ちする（図
３（Ｃ））。尚、妻壁パネル２１の壁面材２１Ｅと桁壁パネル２２の壁面材２２Ｅの交差
部の外側にはコーナーモール２４が被着される。
【００２２】
上述(2)、(3)で用いる弾性接着剤３１としては、例えば積水化学工業株式会社製の商品
名「セキスイボンド＃６６」を採用できる。弾性接着剤３１は、硬化してゴム状弾性体と
なるものであって内部応力を分散、吸収する作用があり、外的な振動、衝撃等の応力を吸
収し、膨張、収縮等の熱歪を吸収し（ヒートサイクルに強い）、高い剥離接着強さを示す
等のメリットがある。但し、本発明の実施において、弾性接着剤３１は一般の接着剤に替
えることもできる。
【００２３】
本発明によれば以下の作用効果を奏する。
(a)壁構造体２０において、柱２３と壁パネル２１、２２の縦枠材２１Ａ、２２Ａがボ
ルト３２、釘３３等の接合金具だけでなく、それらの間に塗布される接着剤３１によって
も接合される。従って、柱２３と壁パネル２１、２２の縦枠材２１Ａ、２２Ａとの接合強
度を強化し、柱２３と壁パネル２１、２２の縦枠材２１Ａ、２２Ａとが外力又は経時的に
壁内に作用する力等によりそれらの接合面でずれることを防止できる。
【００２４】
柱２３の相交差する２面のそれぞれに接合した桁壁パネル２２と妻壁パネル２１の壁面
材２１Ｄ、２２Ｄにまたがるように貼った内装クロスが、それら両パネル２１、２２の交
差部で切れるおそれがない。
【００２５】
(b)接着剤として弾性接着剤３１を用いることにより、柱２３と壁パネル２１、２２の
縦枠材２１Ａ、２２Ａとの接合強度をより強化できる。
【００２６】
(c)建物ユニット１０において、上述(a)、(b)を実現し、複数の建物ユニット１０を接
合して構築されるユニット建物の品質を向上できる。
【００２７】
また、壁構造体２０にあっては、弾性接着剤３１が壁面材により覆われる壁内に隠され
、外観を損なうことがない。
【００２８】
以上、本発明の実施例を図面により記述したが、本発明の具体的な構成はこの実施例に
限られるものではなく、本発明の要旨を逸脱しない範囲の設計の変更等があっても本発明
に含まれる。
【図面の簡単な説明】
【００２９】
【図１】図１は建物ユニットを示し、（Ａ）は平面図、（Ｂ）は（Ａ）の要部斜視図である。
【図２】図２は図１（Ｂ）のII−II線に沿う断面図である。
【図３】図３は壁構造体の組立工程を示し、（Ａ）は接着剤塗布工程を示す斜視図、（Ｂ）はボルト接合工程を示す斜視図、（Ｃ）は釘打ち工程を示す斜視図である。
【符号の説明】
【００３０】
１０  建物ユニット
２０  壁構造体
２１、２２  壁パネル
２１Ａ、２２Ａ  枠材
２３  柱
３１  弾性接着剤
３２  ボルト（接合金具）
３３  釘（接合金具）
４０  床構造体
【図１】
2005264521.tif 000003
【図２】
2005264521.tif 000004
【図３】
2005264521.tif 000005